(57)【特許請求の範囲】
【請求項１】
投影画像情報を用いて投影面に画像を投影する投影部と、
前記投影面に投影された被投影画像を連続的に撮像する撮像部と、
撮像により得た撮像画像情報を記憶する、第一の記憶部および第二の記憶部と、
前記第一の記憶部に記憶させた第一の撮像画像情報と前記第二の記憶部に記憶させた第二の撮像画像情報とをそれぞれ最新の前記撮像画像情報にする更新が、前記第一の記憶部と前記第二の記憶部とで連続して実行する撮像画像情報更新部と、
予め定められた指示動作をした人間の手の形状の画像パターンに基づいて前記第一の撮像画像情報と前記第二の撮像画像情報とのいずれにも前記形状が存在しているか否か判断する形状判断部と、
前記形状が存在していると判断された場合に、前記第一の撮像画像情報と前記第二の撮像画像情報とから、前記形状が指示する位置の位置座標をそれぞれ検出するようにする位置座標検出部と、
前記第一の撮像画像情報と前記第二の撮像画像情報とからそれぞれ検出された前記位置座標に基づいて前記指示する位置が表示されるように前記投影画像情報を更新する投影画像情報更新部とを有する投影装置。
【請求項２】
前記投影画像情報更新部が、前記投影画像情報に対し、前記第一の撮像画像情報と前記第二の撮像画像情報とから検出されたそれぞれの前記位置座標を結んだ線を追加したものを更新後の前記投影画像情報とする請求項１に記載の投影装置。
【請求項３】
前記投影画像情報更新部が、前記投影画像情報に対し、前記第一の撮像画像情報と前記第二の撮像画像情報とから検出されたそれぞれの前記位置座標を結んだ線上に存在する線図を消去したものを更新後の前記投影画像情報とする、消去モードを備えた請求項２に記載の投影装置。
【請求項４】
前記画像パターンは、指示動作をした使用者の手を予め撮像した画像を元に作成される請求項１乃至３のいずれか一に記載の投影装置。
【請求項５】
前記撮像画像情報更新部が、前記第一の撮像画像情報の更新と前記第二の撮像画像情報の更新とが、一定の時間間隔で交互に連続してなされるようにする請求項１乃至４のいずれか一に記載の投影装置。
【請求項６】
前記時間間隔が変更可能である請求項５に記載の投影装置。
【請求項７】
投影装置の制御方法であって、
投影面に投影された被投影画像を撮像し、第一の撮像画像情報として第一の記憶領域に記憶するステップと、
第一の撮像画像情報に対応する前記被投影画像を撮像した後に、投影面に投影された被投影画像を撮像し、第二の撮像画像情報として前記第一の記憶領域とは異なる第二の記憶領域に記憶するステップと、
予め定められた、指示動作をした人間の手の形状の画像パターンに基づいて、前記第一の撮像画像情報と前記第二の撮像画像情報とのいずれにも前記画像パターンと一致する形状が存在しているか否かについて判断するステップと、
前記画像パターンと一致する形状が存在していると判断した場合に、前記第一の撮像画像情報と前記第二の撮像画像情報とにそれぞれ含まれる前記指示動作をした人間の手の形状の、指示する位置の位置座標をそれぞれ検出するようにするステップと、
前記位置座標を用いて前記指示する位置が表示されるように投影画像情報を更新するステップとを有する投影装置の制御方法。
【請求項８】
前記投影画像情報に対し、前記第一の撮像画像情報と前記第二の撮像画像情報とから検出されたそれぞれの前記位置座標を結んだ線を追加したものを更新後の前記投影画像情報とする請求項７に記載の投影装置の制御方法。
【請求項９】
制御プログラムであって、
投影画像情報を用いて投影面に投影された被投影画像を撮像し、撮像画像情報として第一の記憶領域と前記第一の記憶領域とは異なる第二の記憶領域とに記憶させ、前記第一の記憶領域に記憶された第一の撮像画像情報と前記第二の記憶領域に記憶された第二の撮像画像情報とをそれぞれ最新のものにする更新が、前記第一の記憶領域と前記第二の記憶領域とで交互に連続してなされるようにする制御と、
前記第一の撮像画像情報と前記第二の撮像画像情報のいずれかが更新されたタイミングで、予め定められた、指示動作をした人間の手の形状の画像パターンに基づいて、前記第一の撮像画像情報と前記第二の撮像画像情報とのいずれにも前記画像パターンと一致する形状が存在しているか否かについて判断する制御と、
前記画像パターンと一致する形状が存在していると判断した場合に、前記第一の撮像画像情報と前記第二の撮像画像情報とにそれぞれ含まれる前記指示動作をした人間の手の形状の、指示する位置の位置座標をそれぞれ検出するようにする制御と、
前記位置座標を用いて前記投影画像情報を更新するようにする制御とをコンピュータに実行させる制御プログラム。
【請求項１０】
前記投影画像情報に対し、前記第一の撮像画像情報と前記第二の撮像画像情報とから検出されたそれぞれの前記位置座標を結んだ線を追加したものが更新後の前記投影画像情報になるようにする制御をコンピュータに実行させる請求項９に記載の制御プログラム。
【発明の詳細な説明】
【技術分野】
【０００１】
本発明は、被投影画像上に書き込みが可能な投影装置及び投影装置の制御方法に関するものである。
【背景技術】
【０００２】
スクリーンなどの投影面に投影された被投影画像上に文字や図形などを書き込むことができる投影装置が、打合せやブレーンストーミングなどの会議において使用されている。
【０００３】
特許文献１には、係る投影装置であって、被投影画像上における位置座標の指定が可能な専用の座標指示手段（描画ペン）を用いて、被投影画像上に図形などの連続的な軌跡を描画するようにしたものが記載されている。
【先行技術文献】
【特許文献】
【０００４】
【特許文献１】特開２００３−０９９１９６号公報
【発明の概要】
【発明が解決しようとする課題】
【０００５】
しかしながら、特許文献１に記載の投影装置では、会議で説明する際に、紛失などの理由で描画ペンが見当たらなかった場合、被投影画像上への描画ができずに会議の進行が遅れてしまう等の不都合が生じる。
【０００６】
本発明は、以上の背景を鑑みてなされたものであり、専用の描画手段を用いることなく被投影画像上への連続的な軌跡の描画が可能な投影装置、投影装置の制御方法、及び制御プログラムを提供することを目的とする。
【課題を解決するための手段】
【０００７】
かかる課題を解決するために、本発明は、投影装置であって、投影画像情報を用いて投影面に画像を投影する投影部と、前記投影面に投影された被投影画像を連続的に撮像する撮像部と、撮像により得た撮像画像情報を記憶する、第一の記憶部および第二の記憶部と、前記第一の記憶部に記憶させた第一の撮像画像情報と前記第二の記憶部に記憶させた第二の撮像画像情報とをそれぞれ最新の前記撮像画像情報にする更新が、前記第一の記憶部と前記第二の記憶部とで連続して実行する撮像画像情報更新部と、予め定められた指示動作をした人間の手の形状の画像パターンに基づいて前記第一の撮像画像情報と前記第二の撮像画像情報とのいずれにも前記形状が存在しているか否か判断する形状判断部と、前記形状が存在していると判断された場合に、前記第一の撮像画像情報と前記第二の撮像画像情報とから、前記形状が指示する位置の位置座標をそれぞれ検出するようにする位置座標検出部と、前記第一の撮像画像情報と前記第二の撮像画像情報とからそれぞれ検出された前記位置座標に基づいて前記指示する位置が表示されるように前記投影画像情報を更新する投影画像情報更新部とを有する。
また、投影装置の制御方法であって、投影装置の制御方法であって、投影面に投影された被投影画像を撮像し、第一の撮像画像情報として第一の記憶領域に記憶するステップと、第一の撮像画像情報に対応する前記被投影画像を撮像した後に、投影面に投影された被投影画像を撮像し、第二の撮像画像情報として前記第一の記憶領域とは異なる第二の記憶領域に記憶するステップと、予め定められた、指示動作をした人間の手の形状の画像パターンに基づいて、前記第一の撮像画像情報と前記第二の撮像画像情報とのいずれにも前記画像パターンと一致する形状が存在しているか否かについて判断するステップと、前記画像パターンと一致する形状が存在していると判断した場合に、前記第一の撮像画像情報と前記第二の撮像画像情報とにそれぞれ含まれる前記指示動作をした人間の手の形状の、指示する位置の位置座標をそれぞれ検出するようにするステップと、前記位置座標を用いて前記指示する位置が表示されるように投影画像情報を更新するステップとを有する。
さらに、制御プログラムであって、投影画像情報を用いて投影面に投影された被投影画像を撮像し、撮像画像情報として第一の記憶領域と前記第一の記憶領域とは異なる第二の記憶領域とに記憶させ、前記第一の記憶領域に記憶された第一の撮像画像情報と前記第二の記憶領域に記憶された第二の撮像画像情報とをそれぞれ最新のものにする更新が、前記第一の記憶領域と前記第二の記憶領域とで交互に連続してなされるようにする制御と、前記第一の撮像画像情報と前記第二の撮像画像情報のいずれかが更新されたタイミングで、予め定められた、指示動作をした人間の手の形状の画像パターンに基づいて、前記第一の撮像画像情報と前記第二の撮像画像情報とのいずれにも前記画像パターンと一致する形状が存在しているか否かについて判断する制御と、前記画像パターンと一致する形状が存在していると判断した場合に、前記第一の撮像画像情報と前記第二の撮像画像情報とにそれぞれ含まれる前記指示動作をした人間の手の形状の、指示する位置の位置座標をそれぞれ検出するようにする制御と、前記位置座標を用いて前記投影画像情報を更新するようにする制御とをコンピュータに実行させる。
【発明の効果】
【０００８】
本発明によれば、説明者が指示動作をした自身の手により被投影画像上への連続的な軌跡の描画が可能な投影装置、投影装置の制御方法、及び制御プログラムを提供できる。
【図面の簡単な説明】
【０００９】
【図１】実施の形態１に係る投影装置の装置構成を示す機能ブロック図である。
【図２】実施の形態２に係る投影装置の装置構成を示す機能ブロック図である。
【図３】実施の形態２に係る投影装置における、記憶画像更新制御部による、第１記憶部に記憶された投影画像情報および第２記憶部に記憶された投影画像情報の、更新タイミングについて説明する図である。
【図４】実施の形態１２に係る投影装置における、画像パターンの、指示動作をした人間の手の形状の一例を示す図である。
【図５】実施の形態２に係る投影装置における、被投影画像上に描画を行う処理フローの一例を示すフローチャートである。
【図６】実施の形態２に係る投影装置を用いて、説明者が指示動作をした自身の手によって、被投影画像上に連続的な軌跡を描画するイメージを表した図である。
【図７】図６において連続的な軌跡が描画された箇所を拡大した図である。
【図８】実施の形態２に係る投影装置における、被投影画像上に描画を行う処理フローの別の一例を示すフローチャートである。
【発明を実施するための形態】
【００１０】
[実施の形態１]
以下、本発明に係る投影装置の第一の実施形態について図面を参照しながら説明する。
図１は、本実施形態に係る投影装置１の装置構成を示す機能ブロック図である。
投影装置１は、投影部２と、撮像部３と、第一の記憶部としての第１記憶部４０ａおよび第二の記憶部としての第２記憶部４０ｂとを有する。投影部２は、投影画像情報を投影し得る可視光線に変換して投影面に投影する。撮像部３は、投影部２により投影された被投影画像を連続的に撮像する。第１記憶部４０ａおよび第２記憶部４０ｂは、撮像部３による撮像画像情報を記憶する。
【００１１】
また、投影装置１は、被投影画像上に描画を行う処理に関する制御を行う、撮像画像情報更新部５０と、形状判断部５１と、位置座標検出部５２と、投影画像情報更新部５３とを有する。
【００１２】
撮像画像情報更新部５０は、第１記憶部４０ａに記憶された第一の撮像画像情報と第２記憶部４０ｂに記憶された第二の撮像画像情報とを最新の情報に更新する処理を、第１記憶部４０ａと第２記憶部４０ｂとで交互に連続して実行する。
形状判断部５１は、指示動作をした人間の手の形状が第一の撮像画像情報と第二の撮像画像情報との両方に存在しているか否かについての判断する。形状判断部５１は、この判断を第一の撮像画像情報と第二の撮像画像情報のいずれかが更新されたタイミングで実行する。また、形状判断部５１は、この判断を行うときに、予め記憶された指示動作をした人間の手の形状である画像パターンＰを読み出し、この画像パターンＰに基づいて判断する。
【００１３】
位置座標検出部５２は、形状判断部５１が第一の撮像画像情報と第二の撮像画像情報とのいずれにも指示動作をした人間の手の形状が存在していると判断した場合に、第一の撮像画像情報と第二の撮像画像情報とから、指示動作をした人間の手の形状の指示位置の座標をそれぞれ検出する。
投影画像情報更新部５３は、第一の撮像画像情報と第二の撮像画像情報とからそれぞれ検出された位置座標を用いて投影画像情報を更新する。
【００１４】
ここで、第一の撮像画像情報から検出された、指示動作をした人間の手の形状の指示位置の座標を位置座標Ｃ１とする。また、第二の撮像画像情報から検出された、指示動作をした人間の手の形状の指示位置の座標を位置座標Ｃ２とする。元の投影画像情報に、位置座標Ｃ１と位置座標Ｃ２とを結んだ線が追加されるようにする場合、指示動作をした自身の手によって説明者が被投影画像上への描画を開始してから、投影画像情報が更新されるたびに、位置座標Ｃ１と位置座標Ｃ２とを結んだ線が順次連なっていく。これにより、被投影画像上に連続的な軌跡が描画される。
【００１５】
[実施の形態２]
以下、本発明に係る投影装置の第二の実施形態について図面を参照しながら説明する。
図２は、本実施形態に係る投影装置１の装置構成を示す機能ブロック図である。
投影装置１は、投影部２と、撮像部３と、記憶部４と、制御部５とを有している。
投影部２は、光学系の投影エンジンを備え、投影画像情報を投影し得る可視光線に変換してスクリーンなどの投影面Ｓに投影する。撮像部３は、光学系の撮像エンジンを備え、投影画像を連続して動画像として撮像するビデオカメラである。なお、投影部２は、静止画像を一定の間隔で連続的に撮影するカメラであっても良い。
【００１６】
記憶部４は、ＲＡＭ（Ｒａｎｄｏｍ  Ａｃｃｅｓｓ  Ｍｅｍｏｒｙ）などの記憶領域で、撮像画像情報記憶部４０と投影画像情報記憶部４１とを有している。撮像画像情報記憶部４０は、撮像部３による撮像画像情報を記憶するもので、第一の記憶部としての第１記憶部４０ａと第二の記憶部としての第２記憶部４０ｂとを有している。投影画像情報記憶部４１は、投影画像情報を記憶する。
【００１７】
制御部５は、撮像画像情報更新部５０と、形状判断部５１と、位置座標検出部５２と、投影画像情報更新部５３とを有している。
撮像画像情報更新部５０は、第１記憶部４０ａに記憶された第一の撮像画像情報と第２記憶部４０ｂに記憶された第二の撮像画像情報とを最新の情報に更新する処理を、第１記憶部４０ａと第２記憶部４０ｂとで交互に連続して実行する。
【００１８】
形状判断部５１は、画像パターンＰとの比較により、第１記憶部４０ａに記憶された投影画像情報および第２記憶部４０ｂに記憶された投影画像情報に、指示動作をした人間の手の形状がそれぞれ含まれているか否かを判断する。なお、画像パターンＰは、例えば、ＨＤＤ（Ｈａｒｄ  Ｄｉｓｋ  Ｄｒｉｖｅｒ）などの外部記憶に格納されている。形状判断部５１は、この外部記憶にアクセスすることで画像パターンＰを参照する。
位置座標検出部５２は、第１記憶部４０ａに記憶された投影画像情報および第２記憶部４０ｂに記憶された投影画像情報に、指示動作をした人間の手の形状がそれぞれ含まれていた場合に、第１記憶部４０ａに記憶された投影画像情報と第２記憶部４０ｂに記憶された投影画像情報とのそれぞれにおいて、指示位置の投影画像内における位置座標を検出する。投影画像情報更新部５３は、投影画像情報の更新を行う。
【００１９】
なお、制御部５は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ  Ｐｒｏｇｒａｍｍａｂｌｅ  Ｇａｔｅ  Ａｒｒａｙ）等の集積回路、又は、ＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）等の電子回路である。なお、制御部５の各部について、これらの一部又は全部をソフトウェア（プログラム）によって構成するようにしても良いし、上述したハードウェア回路によって構成するようにしても良い。
【００２０】
次に、撮像画像情報更新部５０による、第１記憶部４０ａに記憶された投影画像情報および第２記憶部４０ｂに記憶された投影画像情報の、更新タイミングについて説明する。
図３は、撮像画像情報更新部５０による、第１記憶部４０ａに記憶された投影画像情報および第２記憶部４０ｂに記憶された投影画像情報の、更新タイミングについて説明する図である。
図３に示すように、撮像画像情報更新部５０は、第１記憶部４０ａに記憶された投影画像情報の更新（以下、「第1の更新」とする）と第２記憶部４０ｂに記憶された投影画像情報の更新（以下、「第２の更新」とする）をそれぞれ一定の時間間隔Ｔで実行する。そして、第1の更新のタイミングと、第２の更新のタイミングはＴ／２だけずれている。従って、第1の更新と第２の更新は交互に連続して時間間隔Ｔ／２で実行される。なお、時間間隔Ｔは、使用者が設定を変更できるようにしてもよい。
【００２１】
次に、第１記憶部４０ａに記憶された撮像画像情報の中および第２記憶部４０ｂに記憶された撮像画像情報の中に、指示動作をした人間の手の形状が含まれているか存在しているか否かの判断について以下で説明する。
この判断には、外部記憶などに予め記憶されている画像パターンＰを用いる。画像パターンＰは、指示動作をした人間の手の形状として、代表形状を予め記憶させておくようにしても良いし、投影装置１の使用前に、指示動作をした使用者の手を撮像することにより作成しても良い。指示動作をした人間の手の形状とは、例えば、図４に示すようなものである。
【００２２】
第１記憶部４０ａに記憶された撮像画像情報と第２記憶部４０ｂに記憶された撮像画像情報とのいずれにも指示動作をした人間の手の形状が存在しているか否かについての判断では、第１記憶部４０ａに記憶された撮像画像情報と第２記憶部４０ｂに撮像画像情報とに、画像パターンＰの形状と一致する形状がそれぞれ含まれているか否かにより判断する。第１記憶部４０ａあるいは第２記憶部４０ｂに記憶された撮像画像情報の中から検出された形状と、画像パターンＰの形状とを比較したときに、両者のずれが一定の許容範囲内である場合、検出された形状と前記画像パターンの形状とが一致すると判定するようにするのが好ましい。
【００２３】
次に、被投影画像上に描画を行う処理フローについて以下で説明する。
図５は、被投影画像上に描画を行う処理フローの一例を示すフローチャートである。
投影装置１の電源がオンされ、撮像部３による撮像が開始されると、第１記憶部４０ａに記憶された撮像画像情報と第２記憶部４０ｂに記憶された撮像画像情報のいずれかが更新されたか否かを判断する（ステップＳ１）。
【００２４】
ステップＳ１で更新がされた場合には、第１記憶部４０ａに記憶された撮像画像情報と第２記憶部４０ｂに記憶された撮像画像情報とのいずれにも、画像パターンＰの形状と一致する形状が含まれているか否かを判断する（ステップＳ２）。ステップＳ２で一致する形状が含まれていない場合、処理をステップＳ１に戻す。
【００２５】
ステップＳ２で一致する形状が含まれている場合、第１記憶部４０ａに記憶された撮像画像情報と第２記憶部４０ｂに記憶された撮像画像情報とにそれぞれ含まれる、指示動作をした人間の手の形状の指示位置の位置座標Ｃ１、Ｃ２を検出する（ステップＳ３）。ここで、指示位置とは、図４に示すように指示動作をした人間の手の形状における人差し指の先端である。
【００２６】
ステップＳ３に続いて、投影画像情報更新部５３が、位置座標Ｃ１と位置座標Ｃ２とを結んだ線を元の投影画像情報に追加して新たな投影画像情報を作成し、投影画像情報記憶部４１に格納された元の投影画像情報を上述した新たな投影画像情報に更新する（ステップＳ４）。そして、処理をステップＳ１に戻す。以上で説明した処理フローは、例えば、投影装置１の電源がオフされるまで繰り返す。
【００２７】
以上で説明した処理フローにより、説明者が指示動作をした自身の手によって被投影画像上への描画を開始してから、投影画像情報が更新されるたびに位置座標Ｃ１と位置座標Ｃ２とを結んだ線が順次連なっていき、被投影画像上に連続的な軌跡が描画される。
図６は、説明者が指示動作をした自身の手によって、被投影画像上に連続的な軌跡を描画するイメージを表した図である。
【００２８】
図７は、図６に示す連続的な軌跡が描画された箇所を拡大した図である。第１記憶部４０ａが更新された時刻ｔに描画された線Ｒ１、第２記憶部４０ｂが更新された時刻ｔ＋Ｔ／２に描画された線Ｒ２、第１記憶部４０ａが更新された時刻ｔ＋Ｔにおいて描画された線Ｒ３、第２記憶部４０ｂが更新された時刻ｔ＋（３Ｔ）／２に描画された線Ｒ４、第１記憶部４０ａが更新された時刻ｔ＋２Ｔに描画された線Ｒ５、第２記憶部４０ｂが更新された時刻ｔ＋（５Ｔ）／２に描画された線Ｒ６、第１記憶部４０ａが更新された時刻ｔ＋３Ｔに描画された線Ｒ７、と複数の短い線が連なることで、被投影画像上に連続的な軌跡が描画される。
【００２９】
更新の時間間隔Ｔ（図３参照）を短くすると、それに伴って、位置座標Ｃ１と位置座標Ｃ２とを結んだ線の長さも短くなるので、被投影画像上に描画した連続的な軌跡をより滑らかにすることができる。
【００３０】
[変形例]
本変形例では、被投影画像上に描画した連続的な軌跡の消去を可能にしている。以下、被投影画像上に描画を行う処理フローの変形例について説明する。
図８は、被投影画像上に描画を行う処理フローの別の一例を示すフローチャートである。
投影装置１の電源がオンされ、撮像部３による撮像が開始すると、第１記憶部４０ａに記憶された撮像画像情報と第２記憶部４０ｂに記憶された撮像画像情報のいずれかが更新されたか否かを判断する（ステップＳ１１）。
【００３１】
ステップＳ１１で更新がされた場合には、第１記憶部４０ａに記憶された撮像画像情報と第２記憶部４０ｂに記憶された撮像画像情報とのいずれにも、画像パターンＰの形状と一致する形状が含まれているか否かを判断する（ステップＳ１２）。ステップＳ１２で一致する形状が含まれていない場合、処理をステップＳ１１に戻す。
【００３２】
ステップＳ１２で一致する形状が含まれている場合、第１記憶部４０ａに記憶された撮像画像情報と第２記憶部４０ｂに記憶された撮像画像情報とにそれぞれ含まれる、指示動作をした人間の手の形状の指示位置の位置座標Ｃ１、Ｃ２を検出する（ステップＳ１３）。ここで、指示位置とは、図４に示すように指示動作をした人間の手の形状における人差し指の先端である。
【００３３】
ステップＳ１３に続いて、消去モードであるか否かを判断する（ステップＳ１４）。ここで、消去モードとは、被投影画像上に描画された線図の一部または全部を消去するためのモードである。ステップＳ１４で消去モードではない場合、投影画像情報更新部５３が、位置座標Ｃ１と位置座標Ｃ２とを結んだ線を元の投影画像情報に追加して新たな投影画像情報を作成し、投影画像情報記憶部４１に格納された元の投影画像情報を上述した新たな投影画像情報に更新する（ステップＳ１５）。そして、処理をステップＳ１１に戻す。
【００３４】
一方、ステップＳ１４で消去モードである場合、投影画像情報更新部５３が、元の投影画像情報において位置座標Ｃ１と位置座標Ｃ２とを結んだ線上に存在する線図情報を、元の投影画像情報から消去した新たな投影画像情報を作成し、投影画像情報記憶部４１に格納された元の投影画像情報を上述した新たな投影画像情報に更新する（ステップＳ１６）。そして、処理をステップＳ１１に戻す。
【００３５】
以上で説明した処理フローにより、説明者が指示動作をした自身の手によって、被投影画像上に連続的な軌跡を描画すること、および描画した軌跡を消去することが可能になる。
【００３６】
なお、本発明は上記実施の形態に限られたものではなく、趣旨を逸脱しない範囲で適宜変更することが可能である。例えば、撮像画像情報を記憶する記憶部として、第一の記憶部としての第１記憶部４０ａと第二の記憶部としての第２記憶部４０ｂの２つ設けているがが、これに限るものではない。撮像画像情報を記憶する記憶部を２つ以上設けてもよい。
【００３７】
また、第１記憶部４０ａに記憶された第一の撮像画像情報と第２記憶部４０ｂに記憶された第二の撮像画像情報とを最新の情報に更新する処理を、第１記憶部４０ａと第２記憶部４０ｂとで交互に連続して実行するようにしているが、これに限るものではない。例えば、撮像画像情報を記憶する記憶部を３つにした場合、第一の記憶部と、第二の記憶部と、第三の記憶部の更新する処理を、順次連続して実行する。
【００３８】
（付記１）
投影画像情報を用いて投影面に画像を投影する投影部と、
前記投影面に投影された被投影画像を連続的に撮像する撮像部と、
撮像により得た撮像画像情報を記憶する、第一の記憶部および第二の記憶部と、
前記第一の記憶部に記憶させた第一の撮像画像情報と前記第二の記憶部に記憶させた第二の撮像画像情報とをそれぞれ最新の前記撮像画像情報にする更新が、前記第一の記憶部と前記第二の記憶部とで連続して実行する撮像画像情報更新部と、
予め定められた指示動作をした人間の手の形状の画像パターンに基づいて前記第一の撮像画像情報と前記第二の撮像画像情報とのいずれにも前記形状が存在しているか否か判断する形状判断部と、
前記形状が存在していると判断された場合に、前記第一の撮像画像情報と前記第二の撮像画像情報とから、前記形状が指示する位置の位置座標をそれぞれ検出するようにする位置座標検出部と、
前記第一の撮像画像情報と前記第二の撮像画像情報とからそれぞれ検出された前記位置座標に基づいて前記指示する位置が表示されるように前記投影画像情報を更新する投影画像情報更新部とを有する投影装置。
（付記２）
前記投影画像情報更新部が、前記投影画像情報に対し、前記第一の撮像画像情報と前記第二の撮像画像情報とから検出されたそれぞれの前記位置座標を結んだ線を追加したものを更新後の前記投影画像情報とする付記１に記載の投影装置。
（付記３）
前記投影画像情報更新部が、前記投影画像情報に対し、前記第一の撮像画像情報と前記第二の撮像画像情報とから検出されたそれぞれの前記位置座標を結んだ線上に存在する線図を消去したものを更新後の前記投影画像情報とする、消去モードを備えた付記２に記載の投影装置。
（付記４）
前記画像パターンは、指示動作をした使用者の手を予め撮像した画像を元に作成される付記１乃至３のいずれか一に記載の投影装置。
（付記５）
前記撮像画像情報更新部が、前記第一の撮像画像情報の更新と前記第二の撮像画像情報の更新とが、一定の時間間隔で交互に連続してなされるようにする付記１乃至４のいずれか一に記載の投影装置。
（付記６）
前記時間間隔は、変更可能である付記５に記載の投影装置。
（付記７）
投影装置の制御方法であって、
投影面に投影された被投影画像を撮像し、第一の撮像画像情報として第一の記憶領域に記憶するステップと、
第一の撮像画像情報に対応する前記被投影画像を撮像した後に、投影面に投影された被投影画像を撮像し、第二の撮像画像情報として前記第一の記憶領域とは異なる第二の記憶領域に記憶するステップと、
前記第一の撮像画像情報と前記第二の撮像画像情報のいずれかが更新されたタイミングで、予め定められた、指示動作をした人間の手の形状の画像パターンに基づいて、前記第一の撮像画像情報と前記第二の撮像画像情報とのいずれにも前記画像パターンと一致する形状が存在しているか否かについて判断するステップと、
前記画像パターンと一致する形状が存在していると判断した場合に、前記第一の撮像画像情報と前記第二の撮像画像情報とにそれぞれ含まれる前記指示動作をした人間の手の形状の、指示する位置の位置座標をそれぞれ検出するようにするステップと、
前記位置座標を用いて前記指示する位置が表示されるように投影画像情報を更新するステップとを有する投影装置の制御方法。
（付記８）
前記投影画像情報に対し、前記第一の撮像画像情報と前記第二の撮像画像情報とから検出されたそれぞれの前記位置座標を結んだ線を追加したものを更新後の前記投影画像情報とする付記７に記載の投影装置の制御方法。
（付記９）
前記第一の撮像画像情報の更新と前記第二の撮像画像情報の更新とが、一定の時間間隔で交互に連続してなされるようにする付記７または８のいずれか一に記載の投影装置の制御方法。
（付記１０）
前記時間間隔は、変更可能である付記９に記載の投影装置の制御方法。
（付記１１）
制御プログラムであって、
投影画像情報を用いて投影面に投影された被投影画像を撮像し、撮像画像情報として第一の記憶領域と前記第一の記憶領域とは異なる第二の記憶領域とに記憶させ、前記第一の記憶領域に記憶された第一の撮像画像情報と前記第二の記憶領域に記憶された第二の撮像画像情報とをそれぞれ最新のものにする更新が、前記第一の記憶領域と前記第二の記憶領域とで交互に連続してなされるようにする制御と、
予め定められた、指示動作をした人間の手の形状の画像パターンに基づいて、前記第一の撮像画像情報と前記第二の撮像画像情報とのいずれにも前記画像パターンと一致する形状が存在しているか否かについて判断する制御と、
前記画像パターンと一致する形状が存在していると判断した場合に、前記第一の撮像画像情報と前記第二の撮像画像情報とにそれぞれ含まれる前記指示動作をした人間の手の形状の、指示する位置の位置座標をそれぞれ検出するようにする制御と、
前記位置座標を用いて前記投影画像情報を更新するようにする制御とをコンピュータに実行させる制御プログラム。
（付記１２）
前記投影画像情報に対し、前記第一の撮像画像情報と前記第二の撮像画像情報とから検出されたそれぞれの前記位置座標を結んだ線を追加したものが更新後の前記投影画像情報になるようにコンピュータに実行させる付記１１に記載の制御プログラム。
（付記１３）
前記第一の撮像画像情報の更新と前記第二の撮像画像情報の更新とが、一定の時間間隔で交互に連続してなされるようにコンピュータに実行させる付記１１または１２のいずれか一に記載の制御プログラム。
【符号の説明】
【００３９】
１  投影装置
２  投影部
３  撮像部
４  記憶部
５  制御部
４０  撮像画像情報記憶部
４０ａ  第１記憶部
４０ｂ  第２記憶部
４１  投影画像情報記憶部
５０  撮像画像情報更新部
５１  形状判断部
５２  位置座標検出部
５３  投影画像情報更新部
Ｐ  画像パターン
【図１】
0006443172.tif 000002
【図２】
0006443172.tif 000003
【図３】
0006443172.tif 000004
【図４】
0006443172.tif 000005
【図５】
0006443172.tif 000006
【図６】
0006443172.tif 000007
【図７】
0006443172.tif 000008
【図８】
0006443172.tif 000009